(57)【要約】　　　（修正有）【課題】　連続して、水平方向に延在する堆積体載置台に供給され、垂直方向に接し合って並べられた、堆積体を形成する印刷紙葉から成る、堆積体パッケージを製造するための装置を提供する。【解決手段】印刷紙葉４を鱗状に重ねて整列した流れ３内において、堆積体載置台５に供給する搬送装置、および、１つの堆積体パッケージ２を形成するために、下からこの堆積体内に食い込む、多部材より成る支持装置７から成り、この支持装置が、待機位置からこの堆積体載置台５に沿って、その内においてこの堆積体パッケージ２が紐掛け装置２０内に移動可能な押圧装置に引き渡される、引渡し位置に駆動可能であり、且つ、第１の支持部材６および第２の支持部材８を有しており、　支持装置７が、第３の、紙走行方向で堆積体、または堆積体パッケージ２の前方の端部に所属して設けられた、上昇可能な支持部材９を有している。【選択図】　　　図１ａ
2004123387.tif 000002
【特許請求の範囲】
【請求項１】
　連続して、水平方向に延在する堆積体載置台（５）に供給された、垂直方向に接し合って並べられた、堆積体を形成する印刷紙葉（４）から成る、堆積体パッケージ（２）を製造するための装置（１）であって、この装置が、
印刷紙葉（４）を鱗状に重ねて整列した流れ（３）内において、堆積体載置台（５）に供給する搬送装置、および、１つの堆積体パッケージ（２）を形成するために、下からこの堆積体内に食い込む、多部材より成る支持装置（７）から成り、
この支持装置が、待機位置からこの堆積体載置台（５）に沿って、その内においてこの堆積体パッケージ（２）が紐掛け装置（２０）内に移動可能な押圧装置（１９）に引き渡される、引渡し位置に駆動可能であり、且つ、第１の支持部材（６）および第２の支持部材（８）を有しており、
これら支持部材が、下からこの堆積体載置台（５）を過ぎて上昇可能に、および、それぞれに、後方の、または前方の堆積体パッケージ（２）の端部に所属して設けられている様式の上記装置において、
支持装置（７）が、第３の、紙走行方向で堆積体、または堆積体パッケージ（２）の前方の端部に所属して設けられた、上昇可能な支持部材（９）を有していることを特徴とする装置。
【請求項２】
　第３の支持部材（９）は、堆積体載置台（５）に沿って、第１の支持部材（６）および第２の支持部材（８）に依存せずに、駆動可能に制御されているように構成されていることを特徴とする請求項１に記載の装置。
【請求項３】
　供給された印刷紙葉（４）の鱗状に重ねて整列した流れ（３）と、堆積体載置台（５）上に形成された堆積体との間に設けられた分離間隙を形成するための、第１の支持部材（６）および第２の支持部材（８）に所属して設けられた分離装置を有する、請求項１または２に記載の装置において、
第１の支持部材（６）および第２の支持部材（８）は、共に、この分離間隙内へと上昇可能であるように構成されていることを特徴とする上記の装置。
【請求項４】
　堆積体載置台（５）と接続する、その内において堆積体パッケージ（２）が少なくとも１つのベルトでもって紙走行方向で紐掛けされる、紐掛け装置（２０）を有する、請求項１から３のいずれか一つに記載の装置において、
堆積体パッケージ（２）が、
堆積体載置台（５）において、紙走行方向でこの堆積体パッケージ（２）の前方の端部に所属して設けられた押圧部材（２８）と、離間されたこの堆積体パッケージの後方の端部に所属して設けられた押圧部材（２２）との間で、押圧装置（１９）に引き渡され、且つ、
この押圧装置から紐掛け装置（２０）に移送されるように構成されていることを特徴とする上記の装置。
【請求項５】
　支持装置（７）の支持部材（６、８、９）は、共通の、堆積体載置台（５）に対して平行に延在する案内装置（１０）に、位置調節可能に設けられていることを特徴とする請求項１から４のいずれか一つに記載の装置。
【請求項６】
　端部側で、終端板（２９、３０）でもって補強された堆積体パッケージ（２）を製造するための、堆積体載置台（５）に沿って設けられた終端板供給装置を有する、請求項１から５のいずれか一つに記載の装置において、
堆積体パッケージ（２）の後方の端部のために規定された終端板（３０）が、
この堆積体パッケージ（２）の後方の端部に当接する第２の支持部材（８）と、この堆積体パッケージ（２）の後方の端部に所属して設けられた押圧部材（２２）との間の、この堆積体パッケージ（２）の引渡し位置において、堆積体載置台（５）に供給されるように構成されていることを特徴とする上記の装置。
【請求項７】
　堆積体パッケージ（２）の前方の端部のために規定された終端板（２９）は、第２の支持部材（８）および第３の支持部材（９）によって形成された間隙内において、堆積体載置台（５）上において、紙走行方向に逆らって移送されるように構成されていることを特徴とする請求項１から６のいずれか一つに記載の装置。
【請求項８】
　終端板（２９、３０）のための供給装置は、堆積体載置台（５）に沿って、引渡し位置内において存在する押圧装置（１９）の押圧部材（２２、２８）の間に配設されていることを特徴とする請求項４から７のいずれか一つに記載の装置。
【請求項９】
　押圧装置（１９）は、堆積体載置台（５）の上方で平行に配設された走行レール（２７）に沿って移動可能に形成されていることを特徴とする請求項４から８のいずれか一つに記載の装置。
【発明の詳細な説明】
【技術分野】
【０００１】
　本発明は、連続して、水平方向に延在する堆積体載置台に供給された、垂直方向に接し合って並べられた、堆積体を形成する印刷紙葉から成る、堆積体パッケージを製造するための装置に関し、この装置が、
印刷紙葉を鱗状に重ねて整列した流れ内において、堆積体載置台に供給する搬送装置、および、１つの堆積体パッケージを形成するために、下からこの堆積体内に食い込む、多部材より成る支持装置から成り、
この支持装置が、待機位置からこの堆積体載置台に沿って、その内においてこの堆積体パッケージが紐掛け装置内に移動可能な押圧装置に引き渡される、引渡し位置に駆動可能であり、且つ、第１の支持部材および第２の支持部材を有しており、
これら支持部材が、下からこの堆積体載置台を過ぎて上昇可能に、および、それぞれに、後方の、または前方の堆積体パッケージの端部に所属して設けられている。
【背景技術】
【０００２】
　冒頭に記載した様式の装置は、ミュラー・マルチニ(Mueller Martini)の名称アバンティ（Avanti）でもって、ロッド状紙葉集束装置（Stangenausleger）として販売され、且つ、例えばヨーロッパ特許公開６２３　５４２号明細書（特許文献１）において記載されている。
【０００３】
　これら装置は、印刷機械の印刷物引渡し装置と接続されており、この印刷物引渡し装置から、これら装置が、鱗状に重ねて整列した流れ内において堆積する印刷紙葉を受取り、且つ、貯蔵できる束状体へと成形する。ロッド状束状体（Stange）が問題であり、これらが、引き続いて、定期刊行物、雑誌、仮とじ本、等のような、集積された印刷紙葉を有する印刷物へと処理される。
【０００４】
　印刷機械からの排紙処理のため、および更なる処理の準備作業のための、この諸処理工程において、信頼性の損失の無い高い性能が要求される。このことは、具体的に言うと、より短いサイクル時間、ロッド状束状体の長さに関してのより大きな選択、およびロッド状紙葉集束装置でもって形成可能なより短い残余ロッド状束状体を意味している。
【特許文献１】ヨーロッパ特許公開６２３　５４２号明細書
【発明の開示】
【発明が解決しようとする課題】
【０００５】
　ここで、本発明の課題は、それによって所望の目標が達成される、冒頭に記載した様式の装置を提供することである。
【課題を解決するための手段】
【０００６】
　本発明に従い、この課題は、支持装置が、第３の、紙走行方向で堆積体、または堆積体パッケージの前方の端部に所属して設けられた、上昇可能な支持部材を有していることによって解決される。
【０００７】
　有利には、第３の支持部材は、第１の支持部材および第２の支持部材に依存せずに、堆積体載置台に沿って、駆動可能に制御されており、このことによって、比較的に高い製造性能に対して良い影響を及ぼす動作の自由性が、より多く得られる。
【０００８】
　有利には、供給された印刷紙葉の鱗状に重ねて整列した流れと、堆積体載置台上に形成された堆積体との間に設けられた分離間隙を形成するための、第１の支持部材および第２の支持部材に所属して設けられた分離装置を有する装置の場合、この第１の支持部材および第２の支持部材は、共に、この分離間隙内へと上昇可能であり、且つ、２つの印刷紙葉の間の正確な分離を生じさせる。
【０００９】
堆積体載置台と搬送に有効に接続された、その内において堆積体パッケージが少なくとも１つのベルトでもって紙走行方向で紐掛けされる、紐掛け装置を有する装置の場合、
これら堆積体パッケージは、
堆積体載置台において、合目的には、紙走行方向でこの堆積体パッケージの前方の端部に所属して設けられた押圧部材と、離間されたこの堆積体パッケージの後方の端部に所属して設けられた押圧部材との間で、押圧装置に引き渡され、且つ、
この押圧装置から紐掛け装置に移送され、このことによって、短いサイクル時間が得られる。合目的に、支持装置の支持部材は、共通の、堆積体載置台に対して平行に延在する案内装置に、位置調節可能に設けられており、従って、簡単な案内構造が得られる。
【００１０】
　端部側で、終端板でもって補強された堆積体パッケージを製造するための、堆積体載置台に沿って設けられた終端板供給装置を有する装置の場合、
堆積体パッケージの後方の端部のために規定された終端板が、
この堆積体パッケージの後方の端部に当接する第２の支持部材と、この堆積体パッケージの後方の端部に所属して設けられた押圧部材との間の、この堆積体パッケージの引渡し位置において、堆積体載置台に供給され、
それによって、信頼性の高い終端板位置決めが、この堆積体載置台上で保証されている。
【００１１】
　同じ目的のために、堆積体パッケージの前方の端部のために規定された終端板は、第２の支持部材および第３の支持部材によって形成された間隙内において、堆積体載置台上において、紙走行方向に逆らって移送される。
【００１２】
　有利には、終端板のための供給装置は、引渡し位置内において存在する押圧装置の押圧部材の間に配設されており、このことによって、それぞれに所望の長さの堆積体パッケージが製造され得る。
【００１３】
　押圧装置が、堆積体載置台の上方でこの堆積体載置台に対して平行に指向する走行レールに沿って移動可能である場合、簡単な構造であることは明らかである。
【００１４】
　引き続いて、本発明を、説明の内において詳しくは述べられていない全ての詳細な事項に関して参照するように指示されている図に関連して、１つの実施例、および、この実施例に図示された処理方法に基づいて説明する。
【発明を実施するための最良の形態】
【００１５】
　図１ａから、１ｌまでは、連続して、鱗状に重ねて整列した流れ３でもって供給された印刷紙葉４から成る、堆積体パッケージ２を製造するための装置１を示している。これら印刷紙葉４が前もって整向され、且つ所望の鱗状に重ねた形状に移動された後に、これら印刷紙葉４は、ヨーロッパ特許公開６２３　５４２号明細書（特許文献１）に記載されているように、搬送装置を介して、（図示されていない）鱗状に重ねて整列した流れ３でもって、水平方向の堆積体載置台５に供給され、即ち、鱗状に重ねた形成物が、印刷機械に従って、側方に１８０°だけ向きを変えられねばならない。
【００１６】
　この鱗状に重ねた形成物が、巻体（Wickel）から処理されねばならない場合、先ず第一に、他の巻体上への巻き替えが必須である。図１ａから１ｌまでは、更に、装置１が移動可能に構成されていること、および従って、ある作業の異なる印刷機械の印刷物引渡し装置に接続可能であることを示している。
【００１７】
　図１ａは、走入する鱗状に重ねて整列した流れ３の際の、および、堆積体載置台５を過ぎて上昇された、多部材より成る支持装置７の第１の支持部材６の際の、空の状態における装置１を示している。この支持装置は、更に、第２の支持部材８を備えており、この第２の支持部材が、同様に、上昇された状態において具体的に説明されている。これら両方の支持部材６、８に、第３の支持部材９が、所属して設けられており、この第３の支持部材が、同様に、突き出された状態において図示されている。これら支持装置７を形成する支持部材６、８、９は、この堆積体載置台５の下方で、この堆積体載置台に対して平行に設けられた案内装置１０において、堆積体載置台５に沿って駆動されている。
【００１８】
　上記の目的で、支持部材６、８、９は、例えば、堆積体載置台５に沿って、紙走行方向に、および引き返して駆動される、歯付きベルト、またはチェーンのような牽引手段と結合されており、且つ、制御された調節手段によって上昇および降下され得る。支持装置７、特に支持部材９のための駆動装置の１つの実施例は、図２において図示されている。この図２は、装置１のフレームに固定された側方の案内装置１０を示しており、この案内装置に、堆積体載置台５に沿って移動可能な走行機構１１が設けられており、この走行機構に、この支持部材９が、上昇および降下可能に案内されている。この目的のために、２つの支柱１２が設けられており、これら支柱に沿って、３つの支持板１３を有する支持部材９が、空気圧シリンダー（図示されていない）によって、垂直方向に駆動可能である。この堆積体載置台５に沿っての支持部材９の駆動は、歯付きベルト１４によって行われ、この歯付きベルトに関して、上側の車間部分と同様に、下側の車間部分も認識可能である。この歯付きベルト１４のための駆動モータは、この堆積体載置台５の反対側の端部に設けられている。歯付きベルト１５は、支持部材６の駆動のために、および、歯付きベルト１６が支持部材８のために設けられている。これら歯付きベルト１５から１７までは、それぞれに、プーリを中心として方向を転換され、これらプーリによって、１つの歯付きベルトが１つの駆動モータと結合されており、その際、歯付きベルト１６に駆動モータ１７が、歯付きベルト１５に駆動モータ１８が所属して設けられている。これら支持部材６、８は、支持部材９のように、自身の走行機構（図２においては具体的に説明されていない）に固定されており、且つ、この支持部材９のように、空気圧シリンダーによって操作可能である。図１ａにおいて、この堆積体載置台５の上方で、この堆積体載置台に沿って移動可能な押圧装置１９が設けられており、この押圧装置は、堆積体載置台５上で製造された堆積体パッケージ２を囲繞し、且つ引き続いての紐掛け装置２０内へ移送する。
【００１９】
　押圧装置１９の内、図３において、押圧部材２２を有する担持機構２１が、紙走行方向とは逆に見た状態で図示されている。この担持機構は、この紙走行方向に対して横方向に延在し、且つ両側で、２つのローラ２３によって、固定のＣ字形の走行レール内において（図では目視できない）、移動可能に配設されている。下側面に、この走行レール２７は、ラック（図示されていない）を備えており、このラックと、それぞれ１つの、走行駆動装置２５の歯車２４が噛み合っている。この押圧部材２２は、２つの押圧板３１から成り、これら押圧板が、それらの上方に設けられた案内ロッド２６に沿って、紙走行方向に対して横方向に、処理されるべき印刷紙葉のサイズに対して位置調節可能である。押圧装置１９の動作領域は、堆積体載置台５から紐掛け装置２０内へと延在している。この堆積体載置台５に沿って、紙走行方向に先行して走る押圧部材２８が設けられており、この押圧部材２８が、押圧部材２２と共に押圧装置１９を形成し、この押圧装置１９が、図１ａにおいて、出発位置に存在している。堆積体形成の開始の際、支持装置7の支持部材６、９は、堆積体載置台5を過ぎて上方に移動された、まさに終端板２９の受取りの状態で存在し、この終端板が、装置１の傍らで、離間された支持部材８、９の間の板マガジンから移動される。図示された場合において、この終端板２９が問題であり、この終端板は、紙走行方向において前方の、堆積体、または堆積体パッケージ２の端部のために設けられている。この（前方の）終端板２９は、ここで、支持部材８、９の間で、堆積体載置台５の上を通過して、１つの堆積体の前方の、支持部材６によって直立した状態で保持される堆積体端部に案内される。図１ｂにおいて、そうこうしている間に、第２の支持部材８が、堆積体載置台５から下に向かって離れ、且つ、この終端板２９が、ここで、支持部材６と９の間に保持される。集積工程は、その場合に維持され、且つ、支持装置７の第１の支持部材６が、ここで、同様に下に向かって移動され、従って、終端板２９が、支持部材９によって支持された状態で、前方の堆積体端部に当接の状態になる（図１ｃ参照）。この堆積体が、この堆積体載置台５上で更に堆積する間に、これら支持部材６、８は、後方の堆積体端部の前のこれら支持部材の出発位置に移動していく（図１ｄ参照）。
【００２０】
　図１ｅによる状況において、堆積体パッケージ２は、支持部材９によって直立に状態維持された終端板２９と、第２の支持部材８との間に存在し、この第２の支持部材が、支持部材６と共に出発位置から、紙葉分離位置に移動され、且つ、支持部材６、８に所属して設けられた、例えばヨーロッパ特許公開６２３　５４２号明細書（特許文献１）において記載されているような紙葉分離装置によって、到着する鱗状に重ねて整列した流れ３を、堆積開始部の前で遮断する。この図示されていない紙葉分離装置は、間隙を形成し、この間隙内に、引き続いて、これら支持部材６および８が、共に挿入される。支持部材６は、後に続く堆積体の、前方の端部における支持機能を引き受け、且つ、支持部材８が堆積体パッケージ２の後方の端部を支持する。
【００２１】
　堆積体形成が、連続的に継続される間、支持部材８、および９は、堆積体パッケージ２を、押圧装置１９によって引き取られるべき位置に移送する。この位置において（図１ｆ参照）、この堆積体パッケージ２は、この押圧装置１９の２つの押圧部材２２、２８の間に存在し、従って、この堆積体パッケージ２の後方の端部に、終端板３０が、側方の終端板マガジンから供給され、即ち、この終端板マガジンは、押圧部材２２、２８の間で、後方の堆積体パッケージ端部のための押圧部材に、近接して配設されている。この押圧部材２２、および後方の堆積体パッケージ端部、即ちこの堆積体パッケージ端部を支持する支持部材８は、間隙を形成し、この間隙内に、後方の終端板３０が挿入される。両方の終端板２９および３０は、同じ大きさを有している（図１ｇ参照）。
【００２２】
　引き続いて、図１ｈにより、紙走行方向において前方の押圧部材２８、および後方の押圧部材２２が、それらの間にある終端板２９および３０と共に、堆積体パッケージ２の端部に当接し、且つ、同時に、支持部材８、９が、堆積体領域から外される。その間に、堆積体形成は、鱗状に重ねて整列した流れの終期にあっても継続される。
【００２３】
　押圧部材２２、２８によって捕捉された堆積体パッケージ２は、ここで、走行レール２７に沿って、紐掛け装置２０内へと移送され、且つ、支持部材８、９が、前方の終端板２９の受取りのために、終端板マガジンに到着する。
【００２４】
　前方の終端板２９は、継続的に増大する堆積体の前方の堆積体端部に移動されるその間に、この堆積体パッケージ２は、紐掛け装置２０内において、最終的に押圧され、且つ、引き続いて紐掛け、即ち束ねられる。
【００２５】
　図１ｌにおいて、前方の終端板２９が、支持部材９によって支持された状態で、前方の堆積体端部に接して立っており、支持部材６、８が外されており、且つ紐掛けが実施されている。これら支持部材６、８は、次の工程において、図１ｄにより新しい堆積プロセスが既に開始した出発位置に帰還する。
【図面の簡単な説明】
【００２６】
【図１ａ】製造開始の際の、本発明による装置の概略図である。
【図１ｂ】前方の堆積体端部に終端板を装着する際の、図１ａによる装置の概略図である。
【図１ｃ】前方の堆積体端部に当接する終端板を共に示した、装置の概略図である。
【図１ｄ】増大した堆積体長さの際の、装置の概略図である。
【図１ｅ】上昇された支持部材の際の、装置の概略図である。
【図１ｆ】堆積体から１つの堆積体パッケージが分離された状態で、押圧装置の受取り位置において存在する際の、装置の概略図である。
【図１ｇ】供給された後方の終端板の際の、装置の概略図である。
【図１ｈ】２つの終端板の間に締付けられた堆積体パッケージの際の、装置の概略図である。
【図１ｉ】締付けられた堆積体パッケージが紐掛け装置内に存在し、且つ、支持装置が、前方の終端板受け取る際の、装置の概略図である。
【図１ｋ】堆積体パッケージの紐掛けが開始されており、且つ、前方の終端板が、堆積体の前方の端部に供給された際の、装置の概略図である。
【図１ｌ】前方の終端板が、堆積体の前方の端部に当接する際の、装置の概略図である。
【図１ｍ】紐掛け装置から堆積体パッケージを取出す際の、装置の概略図である。
【図２】支持装置の駆動装置の、抜粋した立体図である。
【図３】押圧装置の押圧部材のための担持機構の、抜粋した立体図である。
【符号の説明】
【００２７】
　１　　装置
　２　　堆積体パッケージ
　３　　鱗状に重ねて整列した流れ
　４　　印刷紙葉
　５　　堆積体載置台
　６　　第１の支持部材
　７　　支持装置
　８　　第２の支持部材
　９　　第３の支持部材
　１０　案内装置
　１１　走行機構
　１２　支柱
　１３　支持板
　１４　歯付きベルト
　１５　歯付きベルト
　１６　歯付きベルト
　１７　駆動モータ
　１８　駆動モータ
　１９　押圧装置
　２０　紐掛け装置
　２１　担持機構
　２２　押圧部材
　２３　ローラ
　２４　歯車
　２５　走行駆動装置
　２６　案内ロッド
　２７　走行レール
　２８　押圧部材
　２９　終端板
　３０　終端板
【図１ａ】
2004123387.tif 000003
【図１ｂ】
2004123387.tif 000004
【図１ｃ】
2004123387.tif 000005
【図１ｄ】
2004123387.tif 000006
【図１ｅ】
2004123387.tif 000007
【図１ｆ】
2004123387.tif 000008
【図１ｇ】
2004123387.tif 000009
【図１ｈ】
2004123387.tif 000010
【図１ｉ】
2004123387.tif 000011
【図１ｋ】
2004123387.tif 000012
【図１ｌ】
2004123387.tif 000013
【図１ｍ】
2004123387.tif 000014
【図２】
2004123387.tif 000015
【図３】
2004123387.tif 000016